(57)【要約】【課題】製造コストが増大する事態を招来することなく、障子や付属部品を共用化すること。【解決手段】互いに異なる複数種類の枠体１０から、要求される性能に応じたものを選択して構成される建具であって、複数種類の枠体１０は、上下の横枠１１Ａ，１２Ａ及び左右の縦枠１３Ａ，１４Ａを備えて構成したものであり、横枠１１Ａ，１２Ａ及び縦枠１３Ａ，１４Ａは、それぞれが枠体１０の内周側と外周側とを仕切るように配置される基枠部１１ａ，１２ａ，１３ａ，１４ａを有し、少なくとも横枠１１Ａ，１２Ａは、基枠部１１ａ，１２ａの内周側については互いに共通となるように構成されている一方、基枠部１１ａ，１２ａの外周側については個々の要求性能を満たすように互いに異なる構成を有している。【選択図】図１
2018053589.tif 000002
【特許請求の範囲】
【請求項１】
互いに異なる複数種類の枠体から、要求される性能に応じたものを選択して構成される建具であって、
前記複数種類の枠体は、上下の横枠及び左右の縦枠を備えて構成したものであり、
前記横枠及び前記縦枠は、それぞれが枠体の内周側と外周側とを仕切るように配置される基枠部を有し、
少なくとも前記横枠は、前記基枠部の内周側については互いに共通となるように構成されている一方、前記基枠部の外周側については個々の要求性能を満たすように互いに異なる構成を有していることを特徴とする建具。
【請求項２】
標準となる標準枠体において上方に配置される横枠は、前記基枠部が単一の基枠ヒレ部によって構成され、
比較的高い防火性能が要求される防火枠体において上方に配置される横枠の基枠部には、外周側に突出するように中空部が設けられていることを特徴とする請求項１に記載の建具。
【請求項３】
前記標準枠体の横枠及び前記防火枠体の横枠には、それぞれ前記基枠部の内周側に障子を左右方向に沿ってスライド可能に支持する２本のレールが設けられ、前記２本のレールは、前記基枠部の互いに共通となる位置にほぼ同一の高さを有するように構成されており、
前記防火枠体の中空部には、室外側に設けられたレールの延長上となる位置に当該中空部を分断するようにリブが設けられていることを特徴とする請求項２に記載の建具。
【請求項４】
標準となる標準枠体の横枠及び比較的高い断熱性能が要求される断熱枠体の横枠には、前記基枠部の内周側となる部位に障子を左右方向に沿ってスライド可能に支持する２本のレールが設けられ、前記２本のレールは、前記基枠部の互いに共通となる位置にほぼ同一の高さを有するように構成されており、
前記標準枠体において上方に配置される横枠は、前記基枠部が単一の基枠ヒレ部によって構成され、
前記断熱枠体の横枠は、前記基枠部において前記２本のレールの間となる部位に断熱材が介在されていることを特徴とする請求項１に記載の建具。
【請求項５】
前記断熱枠体において上方に配置される横枠の基枠部には、外周側に突出するように中空部が設けられていることを特徴とする請求項４に記載の建具。
【発明の詳細な説明】
【技術分野】
【０００１】
本発明は、建具に関するもので、特に、互いに異なる複数種類の枠体から、要求される性能に応じたものを選択して構成される建具に関する。
【背景技術】
【０００２】
互いに異なる複数種類の枠体から、要求される性能に応じたものを選択して構成される建具では、基本となる構成を共通化するようにしたものが提供されている。この種の建具では、例えば断熱性能が互いに異なる枠体に対しても障子や付属部品を共用化することが可能となり、製造コストの点で有利となる（例えば、特許文献１参照）。
【先行技術文献】
【特許文献】
【０００３】
【特許文献１】特開２００８−１２７９０３号公報
【発明の概要】
【発明が解決しようとする課題】
【０００４】
ところで、建具には、断熱性能や防火性能を考慮しない標準タイプの枠体を備えたものも存在する。こうした標準枠体についても、基本となる構成を他の枠体と共通化すれば、障子や付属部品の共用範囲が広がることになり、部品共用化の点からすれば、製造コストをさらに低減することが期待できる。しかしながら、標準枠体を含めて断熱性能や防火性能を有した枠体との基本構成を共通化した場合には、標準枠体によって構成した建具の性能が過剰となり、却って製造コストが増大する事態を招来するおそれがある。
【０００５】
本発明は、上記実情に鑑みて、製造コストが増大する事態を招来することなく、障子や付属部品を共用化することのできる建具を提供することを目的とする。
【課題を解決するための手段】
【０００６】
上記目的を達成するため、本発明に係る建具は、互いに異なる複数種類の枠体から、要求される性能に応じたものを選択して構成される建具であって、前記複数種類の枠体は、上下の横枠及び左右の縦枠を備えて構成したものであり、前記横枠及び前記縦枠は、それぞれが枠体の内周側と外周側とを仕切るように配置される基枠部を有し、少なくとも前記横枠は、前記基枠部の内周側については互いに共通となるように構成されている一方、前記基枠部の外周側については個々の要求性能を満たすように互いに異なる構成を有していることを特徴とする。
【０００７】
この発明によれば、個々に要求される性能に応じた部分を基枠部の外周側に構成するようにし、かつ基枠部の内周側については互いに共通となるように構成しているため、いずれの枠体についても過剰性能となることがなく、製造コストが増大する事態を招来することなく、複数種類の枠体の間で障子や付属部品の共用化を図ることができる。
【０００８】
また本発明は、上述した建具において、標準となる標準枠体において上方に配置される横枠は、前記基枠部が単一の基枠ヒレ部によって構成され、比較的高い防火性能が要求される防火枠体において上方に配置される横枠の基枠部には、外周側に突出するように中空部が設けられていることを特徴とする。
【０００９】
この発明によれば、標準枠体において上方に配置される横枠の基枠部を単一の基枠ヒレ部によって構成しているため、製造コストを抑えることができる。一方、防火枠体において上方に配置される横枠については、基枠部が中空部を有するように構成しているため、加熱による基枠部の変形を抑えることができ、貫通口が生じる事態を防止できる等、防火性能を向上させることができる。
【００１０】
また本発明は、上述した建具において、前記標準枠体の横枠及び前記防火枠体の横枠には、それぞれ前記基枠部の内周側に障子を左右方向に沿ってスライド可能に支持する２本のレールが設けられ、前記２本のレールは、前記基枠部の互いに共通となる位置にほぼ同一の高さを有するように構成されており、前記防火枠体の中空部には、室外側に設けられたレールの延長上となる位置に当該中空部を分断するようにリブが設けられていることを特徴とする。
【００１１】
この発明によれば、防火枠体の横枠においてレールの延長上となる位置にリブが設けてあるため、加熱による障子の延びに対抗して基枠部の変形を抑えることができ、貫通口が生じる事態を防止できる等、防火性能を向上させることができる。
【００１２】
また本発明は、上述した建具において、標準となる標準枠体の横枠及び比較的高い断熱性能が要求される断熱枠体の横枠には、前記基枠部の内周側となる部位に障子を左右方向に沿ってスライド可能に支持する２本のレールが設けられ、前記２本のレールは、前記基枠部の互いに共通となる位置にほぼ同一の高さを有するように構成されており、前記標準枠体において上方に配置される横枠は、前記基枠部が単一の基枠ヒレ部によって構成され、前記断熱枠体の横枠は、前記基枠部において前記２本のレールの間となる部位に断熱材が介在されていることを特徴とする。
【００１３】
この発明によれば、標準枠体において上方に配置される横枠の基枠部を単一の基枠ヒレ部によって構成しているため、製造コストを抑えることができる。一方、断熱枠体の横枠については、２本のレールの間となる部位に断熱材が介在するため、室内側と室外側との間の熱伝達を抑えることができる。
【００１４】
また、本発明は、上述した建具において、前記断熱枠体において上方に配置される横枠の基枠部には、外周側に突出するように中空部が設けられていることを特徴とする。
【００１５】
この発明によれば、上方に配置される横枠については、基枠部に設けられた中空部が断熱空間として機能するため、断熱性の点で有利となる。
【発明の効果】
【００１６】
本発明によれば、個々に要求される性能に応じた部分を基枠部の外周側に構成するようにし、かつ基枠部の内周側については互いに共通となるように構成しているため、いずれの枠体についても過剰性能となることがなく、製造コストが増大する事態を招来することなく、複数種類の枠体の間で障子や付属部品の共用化を図ることができる。
【図面の簡単な説明】
【００１７】
【図１】図１は、本発明の実施の形態である建具に適用する標準仕様の枠体を示したもので、（ａ）は上枠の端面図、（ｂ）は下枠の端面図、（ｃ）は左縦枠の端面図、（ｄ）は右縦枠の端面図である。
【図２】図２は、本発明の実施の形態である建具に適用する断熱仕様の枠体を示したもので、（ａ）は上枠の端面図、（ｂ）は下枠の端面図、（ｃ）は左縦枠の端面図、（ｄ）は右縦枠の端面図である。
【図３】図３は、本発明の実施の形態である建具に適用する防火仕様の枠体を示したもので、（ａ）は上枠の端面図、（ｂ）は下枠の端面図、（ｃ）は左縦枠の端面図、（ｄ）は右縦枠の端面図である。
【図４】図４は、図１に示した枠体を適用して構成した建具の縦断面図である。
【図５】図５は、図１に示した枠体を適用して構成した建具の横断面図である。
【図６】図６は、図１に示した枠体と、障子との組み合わせ例を示した説明図である。
【図７】図７は、図２に示した枠体を適用して構成した建具の縦断面図である。
【図８】図８は、図２に示した枠体を適用して構成した建具の横断面図である。
【図９】図９は、図２に示した枠体と、障子との組み合せ例を示した説明図である。
【図１０】図１０は、図３に示した枠体を適用して構成した建具の縦断面図である。
【図１１】図１１は、図３に示した枠体を適用して構成した建具の横断面図である。
【図１２】図１２は、図３に示した枠体と、障子との組み合わせ例を示した説明図である。
【図１３】図１３は、図３に示した枠体を適用して構成した段窓の縦断面図である。
【図１４】図１４は、図３に示した枠体を適用して構成した連窓の横断面図である。
【発明を実施するための形態】
【００１８】
以下、添付図面を参照しながら本発明に係る建具の好適な実施の形態について詳細に説明する。
図１〜図３は、それぞれ本発明の実施の形態である建具に適用する枠体の上枠、下枠、左右の縦枠を示したものである。ここで例示する上枠１１Ａ，１１Ｂ，１１Ｃ、下枠１２Ａ，１２Ｂ，１２Ｃ、左右の縦枠１３Ａ，１３Ｂ，１３Ｃ，１４Ａ，１４Ｂ，１４Ｃは、互いに異なる性能を有した３種類の枠体１０Ａ，１０Ｂ，１０Ｃを構成するためのものである。図１に示す上枠１１Ａ、下枠１２Ａ、左右の縦枠１３Ａ，１４Ａは、図４及び図５に示す標準仕様となる建具の枠体１０Ａを構成するためのものである。図２に示す上枠１１Ｂ、下枠１２Ｂ、左右の縦枠１３Ｂ，１４Ｂは、図７及び図８に示す断熱仕様となる建具の枠体１０Ｂを構成するためのものである。図３に示す上枠１１Ｃ、下枠１２Ｃ、左右の縦枠１３Ｃ，１４Ｃは、図１０及び図１１に示す防火仕様となる建具の枠体１０Ｃを構成するためのものである。本実施の形態では、いずれの仕様においても、枠体１０Ａ，１０Ｂ，１０Ｃに対して２枚の障子２０を左右方向に沿ってスライド可能に配設した引き違い窓を例示している。図５、図８及び図１１に示すように、２枚の障子２０は、閉じた状態において室内側から見た場合、いずれも右側に配置されるものが室内側となり（内障子２０Ｒ）、左側に配置されるものが室外側（外障子２０Ｌ）となるように構成してある。外障子２０Ｌよりもさらに室外側となる部位には、１枚の網戸３０が左右方向に沿ってスライド可能に配設してある。また、いずれの仕様においても、上枠１１Ａ，１１Ｂ，１１Ｃ、下枠１２Ａ，１２Ｂ，１２Ｃ、左右の縦枠１３Ａ，１３Ｂ，１３Ｃ，１４Ａ，１４Ｂ，１４Ｃとしては、アルミニウム合金等の金属によって成形した押し出し形材からなるものを適用している。
【００１９】
以下、それぞれの建具について詳述する。なお、以下の説明においては便宜上、見込み方向及び見付け方向等の用語を用いる。見込み方向とは、図中の矢印Ａで示すように、建具の奥行きに沿った方向である。見込み方向に沿った面については、見込み面と称する場合がある。見付け方向とは、上枠１１Ａ，１１Ｂ，１１Ｃや下枠１２Ａ，１２Ｂ，１２Ｃ等のように水平に沿った部材の場合、見込み方向に直交した上下に沿う方向であり、縦枠１３Ａ，１３Ｂ，１３Ｃ，１４Ａ，１４Ｂ，１４Ｃ等のように上下に沿った部材の場合、見込み方向に直交した水平に沿う方向である。見付け方向に沿った平面については、見付け面と称する場合がある。また、左右の縦枠を区別する場合には、室内側から見て左側に配置されるものを左縦枠１３Ａ，１３Ｂ，１３Ｃ、右側に配置されるものを右縦枠１４Ａ，１４Ｂ，１４Ｃと称することとする。
【００２０】
（標準仕様の建具について）
図１の（ａ）、図４及び図５に示すように、標準仕様の建具に適用する枠体１０Ａの上枠１１Ａは、基枠部１１ａ、内レール１１ｂ、外レール１１ｃ、網戸レール１１ｄ、突当ヒレ部１１ｅ及び連結ヒレ部１１ｆを有している。基枠部１１ａは、枠体１０Ａの内周側と外周側とを仕切るように配置される部分、すなわち、見込み方向に沿ってほぼ水平に配置される部分であり、単一のプレート状を成す基枠ヒレ部１１ａ１によって構成してある。内レール１１ｂ及び外レール１１ｃは、障子２０の左右へのスライドを案内するヒレ状部分であり、基枠部１１ａの内周側となる見込み面１１ａ２において互いに間隔を確保した位置からそれぞれ下方に向けて互いにほぼ平行となるように突出している。内レール１１ｂ及び外レール１１ｃの基枠部１１ａからの突出寸法は、互いにほぼ同じに設定してある。網戸レール１１ｄは、網戸３０の左右へのスライドを案内するヒレ状部分であり、基枠部１１ａにおいて最も室外側となる端縁部から下方に向けて外レール１１ｃとほぼ平行となるように突出している。網戸レール１１ｄの基枠部１１ａからの突出寸法は、外レール１１ｃよりもわずかに小さい。突当ヒレ部１１ｅは、基枠部１１ａにおいて最も室内側となる端縁部から内レール１１ｂとほぼ平行となるように上下に向けて突出したヒレ状部分である。突当ヒレ部１１ｅの基枠部１１ａからの上方への突出寸法は、網戸レール１１ｄよりも小さく、下方への突出寸法は、上方への突出寸法よりもさらに小さく設定してある。連結ヒレ部１１ｆは、家屋の躯体（図示せず）に連結される部分であり、基枠部１１ａの外周側となる見込み面１１ａ３において内レール１１ｂよりもわずかに室外側となる位置から内レール１１ｂとほぼ平行となるように上方に向けて突出している。
【００２１】
図からも明らかなように、上枠１１Ａには、係合突条１１ｇ及びビスホール１１ｈが設けてある。係合突条１１ｇは、基枠部１１ａとの間に後述する付属部品を保持するための突出部である。上枠１１Ａの係合突条１１ｇは、突当ヒレ部１１ｅと内レール１１ｂとの互いに対向する見付け面及び内レール１１ｂと外レール１１ｃとの互いに対向する見付け面から互いに突出するように形成してある。ビスホール１１ｈは、縦枠１３Ａ，１４Ａとの間を連結する連結ネジ（図示せず）が螺合される部分である。上枠１１Ａのビスホール１１ｈは、基枠部１１ａの内周側となる見込み面１１ａ２と外レール１１ｃの室外に臨む見付け面との入隅部、及び基枠部１１ａの外周側となる見込み面１１ａ３において突当ヒレ部１１ｅと連結ヒレ部１１ｆとの間となる部位に設けてある。
【００２２】
標準仕様の建具に適用する枠体１０Ａの下枠１２Ａは、図１の（ｂ）、図４及び図５に示すように、基枠部１２ａ、内レール１２ｂ、外レール１２ｃ、網戸レール１２ｄ、突当ヒレ部１２ｅ、支持ヒレ部１２ｆ及び連結ヒレ部１２ｇを有している。基枠部１２ａは、枠体１０Ａの内周側と外周側とを仕切るように見込み方向に沿って配置される部分であり、プレート状を成す基枠ヒレ部１２ａ１の外周側となる部分に外方縦ヒレ部１２ａ２、下方横ヒレ部１２ａ３及び内方縦ヒレ部１２ａ４を有している。外方縦ヒレ部１２ａ２は、基枠ヒレ部１２ａ１の室外側に位置する縁部から下方に向けて突出した部分である。下方横ヒレ部１２ａ３は、外方縦ヒレ部１２ａ２の下端縁部から基枠ヒレ部１２ａ１とほぼ平行となるように室内側に向けて延在した部分である。下方横ヒレ部１２ａ３の延在端縁部は、基枠ヒレ部１２ａ１のほぼ中央となる位置まで延在している。内方縦ヒレ部１２ａ４は、下方横ヒレ部１２ａ３の延在端縁部から上方に向けて漸次室内側となるように傾斜延在した部分であり、延在端縁部が基枠ヒレ部１２ａ１の外周側となる見込み面１２ａ５に連結している。すなわち、下枠１２Ａの基枠部１２ａには、外方縦ヒレ部１２ａ２、下方横ヒレ部１２ａ３及び内方縦ヒレ部１２ａ４によって基枠ヒレ部１２ａ１の外周側に突出するように中空部１２ｈが構成してある。
【００２３】
内レール１２ｂ及び外レール１２ｃは、障子２０の左右へのスライドを案内するヒレ状部分であり、基枠ヒレ部１２ａ１の内周側となる見込み面１２ａ６において互いに間隔を確保した位置からそれぞれ上方に向けて互いにほぼ平行となるように突出している。網戸レール１２ｄは、網戸３０の左右へのスライドを案内するヒレ状部分であり、基枠ヒレ部１２ａ１において最も室外側となる端縁部から外レール１２ｃとほぼ平行となるように上方に向けて突出している。網戸レール１２ｄの基枠ヒレ部１２ａ１からの突出寸法は、外レール１２ｃよりも小さい。突当ヒレ部１２ｅは、基枠ヒレ部１２ａ１において最も室内側となる端縁部から外レール１２ｃとほぼ平行となるように上方に向けて突出したヒレ状部分である。突当ヒレ部１２ｅの基枠ヒレ部１２ａ１からの上方への突出寸法は、網戸レール１２ｄよりも大きく、内レール１２ｂよりもわずかに小さく設定してある。支持ヒレ部１２ｆは、基枠ヒレ部１２ａ１の外周側となる見込み面１２ａ５において突当ヒレ部１２ｅと内レール１２ｂとの間となる位置から内レール１２ｂとほぼ平行となるように下方に向けて突出している。連結ヒレ部１２ｇは、家屋の躯体（図示せず）に連結される部分であり、内方縦ヒレ部１２ａ４の下端縁部において室内に臨む面から下方に向けて突出した部分である。
【００２４】
図からも明らかなように、下枠１２Ａには、フック部１２ｊ、段部１２ｋ、係合突条１２ｍ及びビスホール１２ｎが設けてある。フック部１２ｊは、基枠ヒレ部１２ａ１の内周側となる見込み面１２ａ６において突当ヒレ部１２ｅと内レール１２ｂとの間となる部位から上方に突出した後、突出端縁部が突当ヒレ部１２ｅに向けてほぼ直角に屈曲したものである。段部１２ｋは、基枠ヒレ部１２ａ１において内レール１２ｂと外レール１２ｃとの間に設けたもので、外レール１２ｃ側が一段低くなるように構成してある。段部１２ｋの上縁部には、室外側に向けて係合突条１２ｐが設けてある。係合突条１２ｍは、フック部１２ｊ及び段部１２ｋの係合突条１２ｐとの協働により基枠ヒレ部１２ａ１との間に後述する付属部品を保持するための突出部である。すなわち、下枠１２Ａの係合突条１２ｍは、突当ヒレ部１２ｅにおいてフック部１２ｊに対向する見付け面からフック部１２ｊに向けて突出するように形成してあり、外レール１２ｃにおいて段部１２ｋに対向する見付け面から段部１２ｋの係合突条１２ｐに向けて突出するように形成してある。ビスホール１２ｎは、縦枠１３Ａ，１４Ａとの間を連結する連結ネジ（図示せず）が螺合される部分である。下枠１２Ａのビスホール１２ｎは、基枠ヒレ部１２ａ１の外周側となる見込み面１２ａ５と外レール１２ｃの室外に臨む見付け面との出隅部、内方縦ヒレ部１２ａ４と連結ヒレ部１２ｇとの入隅部、及び基枠ヒレ部１２ａ１の外周側となる見込み面１２ａ５において支持ヒレ部１２ｆとの入隅部に設けてある。
【００２５】
標準仕様の建具に適用する枠体１０Ａの縦枠１３Ａ，１４Ａは、図１の（ｃ）、図１の（ｄ）、図４及び図５に示すように、基枠部１３ａ，１４ａ、障子引寄ヒレ部１３ｂ，１４ｂ、網戸引寄ヒレ部１３ｃ，１４ｃ、突当ヒレ部１３ｄ，１４ｄ及び連結ヒレ部１３ｅ，１４ｅを有している。基枠部１３ａ，１４ａは、枠体１０Ａの内周側と外周側とを仕切るように配置される部分、すなわち、見込み方向に沿ってほぼ鉛直に配置される部分であり、単一のプレート状を成す基枠ヒレ部１３ａ１，１４ａ１によって構成してある。障子引寄ヒレ部１３ｂ，１４ｂは、基枠部１３ａ，１４ａの内周側となる見込み面１３ａ２，１４ａ２からほぼ直角となるように突出した部分である。左縦枠１３Ａにおいては、室外側となる部位に障子引寄ヒレ部１３ｂが設けてあり、右縦枠１４Ａにおいては、室内側となる部位に障子引寄ヒレ部１４ｂが設けてある。網戸引寄ヒレ部１３ｃ，１４ｃは、基枠部１３ａ，１４ａにおいて最も室外側となる端縁部から障子引寄ヒレ部１３ｂ，１４ｂとほぼ平行となるように左右に向けて突出した部分である。網戸引寄ヒレ部１３ｃ，１４ｃの基枠部１３ａ，１４ａからの内方側への突出寸法は、障子引寄ヒレ部１３ｂ，１４ｂとほぼ同じであり、外方側への突出寸法は内方側への突出寸法よりも小さい。突当ヒレ部１３ｄ，１４ｄは、基枠部１３ａ，１４ａにおいて最も室内側となる端縁部から障子引寄ヒレ部１３ｂ，１４ｂとほぼ平行となるように左右に向けて突出したヒレ状部分である。突当ヒレ部１３ｄ，１４ｄの基枠部１３ａ，１４ａからの外方側への突出寸法は、障子引寄ヒレ部１３ｂ，１４ｂよりもわずかに小さく、内方側への突出寸法は、外方側への突出寸法よりもさらに小さく設定してある。連結ヒレ部１３ｅ，１４ｅは、家屋の躯体（図示せず）に連結される部分であり、基枠部１３ａ，１４ａの外周側となる見込み面１３ａ３，１４ａ３において室内側となる部位から障子引寄ヒレ部１３ｂ，１４ｂとほぼ平行となるように外周側に向けて突出している。連結ヒレ部１３ｅ，１４ｅの基枠部１３ａ，１４ａからの突出寸法は、障子引寄ヒレ部１３ｂ，１４ｂよりも大きく設定してある。
【００２６】
図１の（ｃ）に示すように、左縦枠１３Ａには、基枠部１３ａの内周側となる見込み面１３ａ２に２つのフック部１３ｆ及び位置決めヒレ部１３ｇが設けてあり、図１の（ｄ）に示すように、右縦枠１４Ａには、基枠部１４ａの内周側となる見込み面１４ａ２にフック部１４ｆが１つ設けてある。左縦枠１３Ａのフック部１３ｆ及び右縦枠１４Ａのフック部１４ｆは、それぞれ基枠部１３ａ，１４ａから内周側に突出した後、突出端縁部が室内側に向けてほぼ直角に屈曲したものである。左縦枠１３Ａのフック部１３ｆは、障子引寄ヒレ部１３ｂと連結ヒレ部１３ｅとの間となる部位、及び連結ヒレ部１３ｅと突当ヒレ部１３ｄとの間となる部位にそれぞれ設けてある。右縦枠１４Ａのフック部１４ｆは、障子引寄ヒレ部１４ｂと突当ヒレ部１４ｄとの間となる部位に設けてある。なお、突当ヒレ部１３ｄ，１４ｄにおいてフック部１３ｆ，１４ｆに対応する部分の延在端縁部には、フック部１３ｆ，１４ｆに向けてほぼ直角に屈曲した係合突条１３ｈ、１４ｈが設けてある。位置決めヒレ部１３ｇは、基枠部１３ａから内周側に突出したもので、室外側に設けたフック部１３ｆと連結ヒレ部１３ｅとの間においてフック部１３ｆに近接した部分に設けてある。
【００２７】
上記のように構成した上枠１１Ａ、下枠１２Ａ、左縦枠１３Ａ及び右縦枠１４Ａは、四周枠組みするとともに、それぞれに樹脂によって成形した付属部品を装着することによって標準仕様の枠体１０Ａを構成する。例えば、図４及び図５に示す建具では、図６の（ｂ）に示すように、上枠１１Ａにおいて内レール１１ｂと突当ヒレ部１１ｅとの間に付属部品として上部カバー部材３１を装着している。下枠１２Ａには外レール１２ｃと内レール１２ｂとの間に付属部品として下部第１カバー部材３２を装着し、内レール１２ｂと突当ヒレ部１２ｅとの間に付属部品として下部第２カバー部材３３を装着している。左縦枠１３Ａには、付属部品として左部カバー部材３４を装着し、右縦枠１４Ａには、付属部品として右部カバー部材３５を装着している。
【００２８】
上部カバー部材３１は、内レール１１ｂの室内に臨む見付け面を覆うレールカバー部３１ａと、基枠部１１ａの内周側となる見込み面１１ａ２において内レール１１ｂと突当ヒレ部１１ｅとの間となる部位を覆う基枠カバー部３１ｂと、基枠カバー部３１ｂの室内側に位置する縁部から突当ヒレ部１１ｅに沿って下方に延在した後、室内側に向けてほぼ直角に屈曲する額縁カバー部３１ｃとを一体に成形したものである。この上部カバー部材３１は、上枠１１Ａの内レール１１ｂ及び突当ヒレ部１１ｅに設けた係合突条１１ｇによって係合され、上枠１１Ａに保持された状態に維持される。
【００２９】
下部第１カバー部材３２は、外レール１２ｃと内レール１２ｂとの間に配置される平板状の基枠カバー部３２ａと、基枠カバー部３２ａにおいて基枠部１２ａに対向する部位から突出した２つの係合脚部３２ｂとを一体に成形したものである。この下部第１カバー部材３２は、係合脚部３２ｂを段部１２ｋの係合突条１２ｐ及び外レール１２ｃの係合突条１２ｍに係合させることにより、基枠カバー部３２ａが基枠部１２ａとの間に隙間を確保した状態で外レール１２ｃと内レール１２ｂとの間を覆うように配置される。
【００３０】
下部第２カバー部材３３は、内レール１２ｂと突当ヒレ部１２ｅとの間に配置される平板状の基枠カバー部３３ａと、基枠カバー部３３ａにおいて基枠部１２ａに対向する部位から突出した２つの係合脚部３３ｂと、基枠カバー部３３ａの室内側に位置する縁部から突当ヒレ部１２ｅに沿って上方に延在した後、室内側に向けてほぼ直角に屈曲する額縁カバー部３３ｃとを一体に成形したものである。この下部第２カバー部材３３は、係合脚部３３ｂをフック部１２ｊ及び突当ヒレ部１２ｅの係合突条１２ｍに係合させることにより、基枠カバー部３３ａが基枠部１２ａとの間に隙間を確保した状態で内レール１２ｂと突当ヒレ部１２ｅとの間を覆うように配置される。
【００３１】
左部カバー部材３４は、室外側のフック部１３ｆ及び位置決めヒレ部１３ｇと室内側のフック部１３ｆとの間にアーチ状に架け渡されるアーチカバー部３４ａと、基枠部１３ａの内周側となる見込み面１３ａ２において室内側のフック部１３ｆと突当ヒレ部１３ｄとの間となる部位を覆う基枠カバー部３４ｂと、基枠カバー部３４ｂの室内側に位置する縁部から突当ヒレ部１３ｄに沿って内方に延在した後、室内側に向けてほぼ直角に屈曲する額縁カバー部３４ｃとを一体に成形したものである。この左部カバー部材３４は、室外側のフック部１３ｆ及び位置決めヒレ部１３ｇと、室内側のフック部１３ｆと、突当ヒレ部１３ｄに設けた係合突条１３ｈとによって係合され、左縦枠１３Ａに保持された状態に維持される。
【００３２】
右部カバー部材３５は、基枠部１４ａの内周側となる見込み面１４ａ２においてフック部１４ｆと突当ヒレ部１４ｄとの間となる部位を覆う基枠カバー部３５ａと、基枠カバー部３５ａの室内側に位置する縁部から突当ヒレ部１４ｄに沿って内方に延在した後、室内側に向けてほぼ直角に屈曲する額縁カバー部３５ｂとを一体に成形したものである。この右部カバー部材３５は、フック部１４ｆと、突当ヒレ部１４ｄに設けた係合突条１４ｈとによって係合され、右縦枠１４Ａに保持された状態に維持される。
【００３３】
上記のように構成した標準仕様の枠体１０Ａに対しては、図４及び図５に示すように、上枠１１Ａの外レール１１ｃと下枠１２Ａの外レール１２ｃとの間に外障子２０Ｌを配設し、かつ上枠１１Ａの内レール１１ｂと下枠１２Ａの内レール１２ｂとの間に内障子２０Ｒを配設することで標準仕様の建具が構成される。障子２０は、矩形状を成す面材２１（複層ガラス）の四周に上框２２、下框２３及び左右の縦框２４，２５を装着することによって構成したものである。例えば、図４及び図５に示す建具では、図６の（ｅ）に示すように、アルミニウム合金等の金属によって成形した室外側部材２２ａ，２３ａ，２４ａ，２５ａと、樹脂によって成形した室内側部材２２ｂ，２３ｂ，２４ｂ、２５ｂとによって構成した複合タイプの框２２，２３，２４，２５を備えた障子２０を適用している。なお、外障子２０Ｌの召合せとなる縦框２５については、アルミニウム合金等の金属によって一体に成形してある。
【００３４】
上記のように構成した標準仕様の建具では、枠体１０Ａを構成する上枠１１Ａ、左縦枠１３Ａ及右縦枠１４Ａがいずれも単一のプレート状を成す基枠ヒレ部１１ａ１，１３ａ１，１４ａ１を有して構成してある。つまり、上述した建具は、断熱性能や防火性能については必ずしも十分とはいえないものの、引き違い窓としての基本的な機能は備えたものであり、コストを抑えて製造することができる。
【００３５】
（断熱仕様の建具について）
図２の（ａ）、図７及び図８に示すように、断熱仕様の建具に適用する枠体１０Ｂの上枠１１Ｂは、基枠部１１ａ、内レール１１ｂ、外レール１１ｃ、網戸レール１１ｄ、突当ヒレ部１１ｅ及び連結ヒレ部１１ｆを有している点で標準仕様の上枠１１Ａと共通であり、基枠部１１ａの途中に断熱材１１ｊを備える点及び基枠部１１ａが中空部１１ｋを備えて構成されている点でのみ標準仕様の上枠１１Ａと相違している。すなわち、断熱仕様となる上枠１１Ｂの基枠部１１ａは、プレート状を成す基枠ヒレ部１１ａ１を有するとともに、基枠ヒレ部１１ａ１の外周側となる部分において連結ヒレ部１１ｆよりも室外側となる部位に外方縦ヒレ部１１ａ４、上方横ヒレ部１１ａ５、内方縦ヒレ部１１ａ６及び補強リブ１１ａ７を有したものである。外方縦ヒレ部１１ａ４は、基枠ヒレ部１１ａ１の室外側に位置する縁部から上方に向けて突出した部分である。上方横ヒレ部１１ａ５は、外方縦ヒレ部１１ａ４の上端縁部から基枠ヒレ部１１ａ１に沿うように室内側に向けて延在した部分である。上方横ヒレ部１１ａ５の延在端縁部は、連結ヒレ部１１ｆの位置まで延在している。内方縦ヒレ部１１ａ６は、上方横ヒレ部１１ａ５の延在端縁部から下方に向けて延在した部分であり、延在端縁部が基枠ヒレ部１１ａ１の外周側となる見込み面に連結している。すなわち、上枠１１Ｂの基枠部１１ａには、外方縦ヒレ部１１ａ４、上方横ヒレ部１１ａ５及び内方縦ヒレ部１１ａ６によって基枠ヒレ部１１ａ１の外周側に突出するように中空部１１ｋが構成してある。補強リブ１１ａ７は、中空部１１ｋにおいて基枠ヒレ部１１ａ１と上方横ヒレ部１１ａ５との間を連結するもので、外レール１１ｃの延長上となる位置に設けてある。基枠ヒレ部１１ａ１には、外レール１１ｃと内レール１１ｂとの間となる部分に断熱材１１ｊが介在してある。従って、断熱仕様の上枠１１Ｂでは、断熱材１１ｊを境界として室内側の部分と室外側の部分とが熱的に遮断されている。上述の相違点を除き、断熱仕様の上枠１１Ｂは、基枠部１１ａの内周側となる構成、つまり内レール１１ｂ、外レール１１ｃ、網戸レール１１ｄ、突当ヒレ部１１ｅ、係合突条１１ｇの構成については、標準仕様の上枠１１Ａと共通である。なお、基枠部１１ａの外周側についても、連結ヒレ部１１ｆ等、躯体（図示せず）との取り付けに関する構成については標準仕様のものと同様である。断熱仕様の上枠１１Ｂにおいて標準仕様の上枠１１Ａと同様の構成については、同一の符号を付して詳細説明を省略している。
【００３６】
断熱仕様の建具に適用する枠体１０Ｂの下枠１２Ｂは、図２の（ｂ）、図７及び図８に示すように、基枠部１２ａ、内レール１２ｂ、外レール１２ｃ、網戸レール１２ｄ、突当ヒレ部１２ｅ、支持ヒレ部１２ｆ及び連結ヒレ部１２ｇを有している点で標準仕様の下枠１２Ａと共通であり、基枠部１２ａの途中に断熱材１２ｑを備える点及び支持ヒレ部１２ｆの詳細構成のみが標準仕様の下枠１２Ａと相違している。すなわち、断熱仕様となる下枠１２Ｂの基枠部１２ａは、基枠ヒレ部１２ａ１において外レール１２ｃと内レール１２ｂとの間となる部分に断熱材１２ｑが介在してある。従って、断熱仕様の下枠１２Ｂでは、断熱材１２ｑを境界として室内側の部分と室外側の部分とが熱的に遮断されている。支持ヒレ部１２ｆは、標準仕様の支持ヒレ部１２ｆよりも室外側となる部位から下方に向けて延在した第１支持ヒレ部１２ｆ１と、基枠ヒレ部１２ａ１の最も室内側となる端縁部から下方に向けて延在した第２支持ヒレ部１２ｆ２とを有している。第２支持ヒレ部１２ｆ２の下端縁部には、室内側に向けて漸次下方となるように傾斜ヒレ部１２ｆ３が設けてある。上述の相違点を除き、断熱仕様の下枠１２Ｂは、基枠部１２ａの内周側となる構成、つまり内レール１２ｂ、外レール１２ｃ、網戸レール１２ｄ、突当ヒレ部１２ｅ、フック部１２ｊ、係合突条１２ｍの構成については、標準仕様の下枠１２Ａと共通である。なお、上枠１１Ｂと同様、基枠部１２ａの外周側についても、連結ヒレ部１２ｇ等、躯体（図示せず）との取り付けに関する構成については標準仕様のものと同様である。断熱仕様の下枠１２Ｂにおいて標準仕様の下枠１２Ａと同様の構成については、同一の符号を付して詳細説明を省略している。
【００３７】
断熱仕様の建具に適用する枠体１０Ｂの縦枠１３Ｂ，１４Ｂは、図２の（ｃ）、図２の（ｄ）、図７及び図８に示すように、基枠部１３ａ，１４ａ、障子引寄ヒレ部１３ｂ，１４ｂ、網戸引寄ヒレ部１３ｃ，１４ｃ、突当ヒレ部１３ｄ，１４ｄ及び連結ヒレ部１３ｅ，１４ｅを有している点で標準仕様の縦枠１３Ａ，１４Ａと共通であり、網戸引寄ヒレ部１３ｃ，１４ｃの外周側に突出する部分に連結突条１３ｊ，１４ｊを備える点及び突当ヒレ部１３ｄ，１４ｄの外周側に突出する部分にフック部１３ｋ，１４ｋを備える点でのみ相違している。網戸引寄ヒレ部１３ｃ，１４ｃの連結突条１３ｊ，１４ｊは、外周側に突出した部分の端縁部から室内側に向けて直角に屈曲した部分である。突当ヒレ部１３ｄ，１４ｄのフック部１３ｋ，１４ｋは、外周側に突出した部分の端縁部から室外側に向けて屈曲した後、外周側に向けて屈曲し、さらに室内側に向けて屈曲した部分である。上述の相違点を除き、断熱仕様の縦枠１３Ｂ，１４Ｂは、基枠部１３ａ，１４ａが単一のプレート状を成す基枠ヒレ部１３ａ１，１４ａ１によって構成されている点及び基枠部１３ａ，１４ａの内周側となる構成、つまり障子引寄ヒレ部１３ｂ，１４ｂ、網戸引寄ヒレ部１３ｃ，１４ｃ、突当ヒレ部１３ｄ，１４ｄの構成については標準仕様の縦枠１３Ａ，１４Ａと共通である。なお、上枠１１Ｂと同様、基枠部１３ａ，１４ａの外周側についても、連結ヒレ部１３ｅ，１４ｅ等、躯体（図示せず）との取り付けに関する構成については標準仕様のものと同様である。断熱仕様の縦枠１３Ｂ，１４Ｂにおいて標準仕様の縦枠１３Ａ，１４Ａと同様の構成については、同一の符号を付して詳細説明を省略している。
【００３８】
上記のように構成した上枠１１Ｂ、下枠１２Ｂ、左縦枠１３Ｂ及び右縦枠１４Ｂは、四周枠組みするとともに、それぞれに樹脂によって成形した付属部品を装着することによって断熱仕様の枠体１０Ｂを構成する。例えば、図７及び図８に示す建具では、図９の（ａ）に示すように、上枠１１Ｂにおいて内レール１１ｂと突当ヒレ部１１ｅとの間に上部カバー部材３１を装着している。また、上枠１１Ｂにおいて外レール１１ｃと内レール１１ｂとの間には、上部サブカバー部材３６を装着している。下枠１２Ｂには外レール１２ｃと内レール１２ｂとの間に下部第１カバー部材３２を装着し、内レール１２ｂと突当ヒレ部１２ｅとの間に下部第２カバー部材３３を装着している。左縦枠１３Ｂには、第２左部カバー部材３４′を装着し、右縦枠１４Ｂには、右部カバー部材３５を装着している。
【００３９】
上部サブカバー部材３６は、基枠部１１ａの内周側となる見込み面において外レール１１ｃと内レール１１ｂとの間となる部位を覆うもので、両側縁部が上方に向けて湾曲するとともに、湾曲端縁部が下方に向けて屈曲している。この上部サブカバー部材３６は、外レール１１ｃの係合突条１１ｇと内レール１１ｂの係合突条１１ｇとによって係合され、上枠１１Ｂに保持された状態に維持される。第２左部カバー部材３４′は、上述した左部カバー部材３４と比較して、アーチカバー部３４ａ′が拡大して構成されたものである。この第２左部カバー部材３４′は、室外側のフック部１３ｆ及び位置決めヒレ部１３ｇと、室内側のフック部１３ｆと、突当ヒレ部１３ｄに設けた係合突条１３ｈとによって係合され、左縦枠１３Ｂに保持された状態に維持される。この第２左部カバー部材３４′には、ネジを螺合するためのネジ溝３４ｄ′が設けてあり、さらにこのネジ溝３４ｄ′には溝カバー３４ｅ′が着脱可能に装着してある。なお、上部カバー部材３１、下部第１カバー部材３２、下部第２カバー部材３３及び右部カバー部材３５については、いずれも標準仕様の枠体１０Ｂに装着したものと同一のものである。
【００４０】
上記のように構成した断熱仕様の枠体１０Ｂに対しては、上枠１１Ｂの外レール１１ｃと下枠１２Ｂの外レール１２ｃとの間に外障子２０Ｌを配設し、かつ上枠１１Ｂの内レール１１ｂと下枠１２Ｂの内レール１２ｂとの間に内障子２０Ｒを配設することで断熱仕様の建具が構成される。適用する障子２０は、図９の（ｃ）に示すように、標準仕様のものと同一のものである。
【００４１】
上記のように構成した断熱仕様の建具では、枠体１０Ｂを構成する上枠１１Ｂの基枠部１１ａが中空部１１ｋを有した構成であるため、上枠１１Ｂの室外側部分と室内側部分との間に断熱空間が確保されることになる。また、左縦枠１３Ｂの基枠ヒレ部１３ａにおいて室内側に位置する見付け面にも、第２左部カバー部材３４′のアーチカバー部３４ａ′及び溝カバー３４ｅ′との間に、より大きな断熱空間が確保されることになる。従って、この断熱仕様の建具によれば、標準仕様の建具に比べて断熱性能を向上させることができる。
【００４２】
しかも、それぞれの枠１１Ｂ，１２Ｂ，１３Ｂ，１４Ｂにおいて基枠部１１ａ，１２ａ，１３ａ，１４ａよりも内周側となる構成については標準仕様の枠１１Ａ，１２Ａ，１３Ａ，１４Ａと共通の構成を有するように構成してある。従って、断熱仕様の建具によれば、障子２０や付属部品を標準仕様の建具と共用することができ、製造コストの点で有利となる。
【００４３】
（防火仕様の建具について）
図３の（ａ）、図１０及び図１１に示すように、防火仕様の建具に適用する枠体１０Ｃの上枠１１Ｃは、基枠部１１ａ、内レール１１ｂ、外レール１１ｃ、網戸レール１１ｄ、突当ヒレ部１１ｅ及び連結ヒレ部１１ｆを有している点で標準仕様の上枠１１Ａと共通であり、基枠部１１ａが中空部１１ｋを備えて構成されている点でのみ標準仕様の上枠１１Ａと相違している。断熱仕様の上枠１１Ｂと比較した場合、防火仕様の上枠１１Ｃは、基枠部１１ａの途中に断熱材１１ｊを備えておらず、基枠ヒレ部１１ａ１が単一のプレート状を成す点でのみ相違したものである。上述の相違点を除き、防火仕様の上枠１１Ｃは、基枠部１１ａの内周側となる構成、つまり内レール１１ｂ、外レール１１ｃ、網戸レール１１ｄ、突当ヒレ部１１ｅ、係合突条１１ｇの構成については、標準仕様の上枠１１Ａと共通である。なお、基枠部１１ａの外周側についても、連結ヒレ部１１ｆ等、躯体（図示せず）との取り付けに関する構成については標準仕様のものと同様である。また、断熱仕様の上枠１１Ｂと比較した場合、防火仕様の上枠１１Ｃは、基枠部１１ａの外周側についても共通の構成となる。
【００４４】
防火仕様の建具に適用する枠体１０Ｃの下枠１２Ｃは、図３の（ｂ）、図１０及び図１１に示すように、基枠部１２ａ、内レール１２ｂ、外レール１２ｃ、網戸レール１２ｄ、突当ヒレ部１２ｅ、支持ヒレ部１２ｆ及び連結ヒレ部１２ｇを有している点で標準仕様の下枠１２Ａと共通であり、支持ヒレ部１２ｆの詳細構成のみが標準仕様の下枠１２Ａと相違している。断熱仕様の下枠１２Ｂと比較した場合、防火仕様の下枠１２Ｃは、基枠部１２ａの途中に断熱材１２ｑを備えておらず、基枠ヒレ部１２ａ１が単一のプレート状を成す点でのみ相違したものである。上述の相違点を除き、防火仕様の下枠１２Ｃは、基枠部１２ａの内周側となる構成、つまり内レール１２ｂ、外レール１２ｃ、網戸レール１２ｄ、突当ヒレ部１２ｅ、フック部１２ｊ、係合突条１２ｍの構成については、標準仕様の下枠１２Ａと共通である。なお、基枠部１２ａの外周側についても、連結ヒレ部１２ｇ等、躯体（図示せず）との取り付けに関する構成については標準仕様のものと同様である。また、断熱仕様の下枠１２Ｂと比較した場合、防火仕様の下枠１２Ｃは、基枠部１２ａの外周側についても共通の構成となる。
【００４５】
防火仕様の建具に適用する枠体１０Ｃの縦枠１３Ｃ，１４Ｃは、図３の（ｃ）、図３の（ｄ）、図１０及び図１１に示すように、基枠部１３ａ，１４ａ、障子引寄ヒレ部１３ｂ，１４ｂ、網戸引寄ヒレ部１３ｃ，１４ｃ、突当ヒレ部１３ｄ，１４ｄ及び連結ヒレ部１３ｅ，１４ｅを有している点で標準仕様の縦枠１３Ａ，１４Ａと共通であり、網戸引寄ヒレ部１３ｃ，１４ｃの外周側に突出する部分に連結突条１３ｊ，１４ｊを備える点及び突当ヒレ部１３ｄ，１４ｄの外周側に突出する部分にフック部１３ｋ，１４ｋを備える点でのみ相違している。断熱仕様の縦枠１３Ｂ，１４Ｂと比較した場合、防火仕様の縦枠１３Ｃ，１４Ｃは、同一に構成してある。上述の相違点を除き、防火仕様の縦枠１３Ｃ，１４Ｃは、基枠部１３ａ，１４ａの内周側となる構成、つまり障子引寄ヒレ部１３ｂ，１４ｂ、網戸引寄ヒレ部１３ｃ，１４ｃ、突当ヒレ部１３ｄ，１４ｄの構成については標準仕様の縦枠１３Ａ，１４Ａと共通である。なお、上枠１１Ｃと同様、基枠部１３ａ，１４ａの外周側についても、連結ヒレ部１３ｅ，１４ｅ等、躯体（図示せず）との取り付けに関する構成については標準仕様のものと同様である。また、断熱仕様の縦枠１３Ｂ，１４Ｂと比較した場合、防火仕様の縦枠１３Ｃ，１４Ｃは、基枠部１３ａ，１４ａの外周側についても共通の構成となる。
【００４６】
上記のように構成した上枠１１Ｃ、下枠１２Ｃ、左縦枠１３Ｃ及び右縦枠１４Ｃは、四周枠組みするとともに、それぞれに樹脂によって成形した付属部品を装着することによって防火仕様の枠体１０Ｃを構成する。例えば、図１０及び図１１に示す建具では、図１２の（ｂ）に示すように、上枠１１Ｃにおいて内レール１１ｂと突当ヒレ部１１ｅとの間に上部カバー部材３１を装着している。下枠１２Ｃには外レール１２ｃと内レール１２ｂとの間に下部第１カバー部材３２を装着し、内レール１２ｂと突当ヒレ部１２ｅとの間に下部第２カバー部材３３を装着している。左縦枠１３Ｃには、左部カバー部材３４を装着し、右縦枠１４Ｃには、右部カバー部材３５を装着している。なお、上部カバー部材３１、下部第１カバー部材３２、下部第２カバー部材３３、左部カバー部材３４及び右部カバー部材３５については、いずれも標準仕様の枠体１０Ａに装着したものと同一のものである。
【００４７】
上記のように構成した防火仕様の枠体１０Ｃに対しては、上枠１１Ｃの外レール１１ｃと下枠１２Ｃの外レール１２ｃとの間に外障子２０Ｌを配設し、かつ上枠１１Ｃの内レール１１ｂと下枠１２Ｃの内レール１２ｂとの間に内障子２０Ｒを配設することで防火仕様の建具が構成される。適用する障子２０は、図１２の（ｅ）に示すように、標準仕様のものと同一のものである。
【００４８】
上記のように構成した防火仕様の建具では、枠体１０Ｃを構成する上枠１１Ｃの基枠部１１ａが中空部１１ｋを有した構成であるため、上枠１１Ｃの室外側部分と室内側部分との間に断熱空間が確保されることになり、標準仕様の建具に比べて防火性能を向上させることができる。例えば、室外側から加熱された場合にも、この断熱空間によって基枠ヒレ部１１ａ１が高温状態となる事態を抑えることができる。従って、この建具によれば、火災が発生した場合にも、基枠ヒレ部１１ａ１に変形を来すおそれがなく、室外と室内との間に火炎の貫通口ができる事態を防止することが可能となる。さらに、この建具では、上枠１１Ｃの中空部１１ｋにおいて外レール１１ｃの延長上となる位置に補強リブ１１ａ７が設けてある。このため、加熱によって障子２０が上下方向に熱延びしたとしても、補強リブ１１ａ７によってこれに対抗することができ、基枠部１１ａに変形を来す事態を防止することができる。
【００４９】
しかも、それぞれの枠１１Ｃ，１２Ｃ，１３Ｃ，１４Ｃにおいて基枠部１１ａ，１２ａ，１３ａ，１４ａよりも内周側となる構成については標準仕様の枠１１Ａ，１２Ａ，１３Ａ，１４Ａと共通の構成を有するように構成してある。従って、防火仕様の建具によれば、障子２０や付属部品を標準仕様の建具と共用することができ、製造コストの点で有利となる。
【００５０】
なお、上述した実施の形態では、断熱仕様となる枠体１０Ｂの上枠１１Ｂ及び下枠１２Ｂと、防火仕様となる枠体１０Ｃの上枠１１Ｃ及び下枠１２Ｃとが、基枠ヒレ部１１ａ１，１２ａ１に断熱材１１ｊ，１２ｑが介在するか否かのみが相違するように構成している。また、断熱仕様の縦枠１３Ｂ，１４Ｂと、防火仕様の縦枠１３Ｃ，１４Ｃとを共通の構成を有するように構成している。従って、例えば図１３に示すように、上枠１１Ｃの上部に無目１５を介して段窓用の建具（図示の例では嵌め殺し窓Ｄ）を連結する場合には、断熱仕様の枠体１０Ｂと防火仕様の枠体１０Ｃとで、同一の構成を有した無目１５及び段窓用の建具Ｄを適用することができる。また、図１４に示すように、右縦枠１４Ｃの右側に方立１６を介して連窓用の障子（図示の例では嵌め殺し窓Ｅ）を連結する場合にも、断熱仕様の枠体１０Ｂと防火仕様の枠体１０Ｃとで、同一の構成を有した方立１６及び連窓用の建具Ｅを適用することができる。従って、製造コストを抑えた上で、要求される性能を有した段窓や連窓を構成することが可能となる。
【００５１】
また、上述した実施の形態では、それぞれの枠に対して付属部品が選択可能であるため、付属部品を変更することで、同一仕様の枠体１０Ａ，１０Ｂ，１０Ｃを適用した場合にも、異なる断熱性能を有した建具を構成することが可能である。
【００５２】
例えば、標準仕様では、図６の（ｂ）に示す付属部品を適用した枠体１０Ａと図６の（ｅ）に示す障子２０を適用して建具を構成したが、図６の（ａ）に示すように、枠との間に板厚の小さい断熱空間を構成する付属部品を装着すれば、実施の形態よりも断熱性能が小さくなるように調整した標準仕様の建具を構成することができる。逆に、図６の（ｃ）に示すように、枠との間に板厚の大きい断熱空間を構成する付属部品を装着すれば、実施の形態よりも断熱性能が大きくなるように調整した標準仕様の建具を構成することができる。この場合、適用する障子２０についても、図６の（ｄ）に示すように、単一のアルミニウム合金からなる框を有した障子２０′を適用すれば、断熱性能を小さく調整して製造コストを抑えた標準仕様の建具を構成することが可能である。
【００５３】
同様に、図９に示す断熱仕様の建具や、図１２に示す防火仕様の建具についても、付属部品や障子２０′，２０″を変更することで、様々な性能を有した建具を構成することが可能である。
【００５４】
なお、上述した実施の形態では、標準仕様の枠体と、断熱仕様の枠体と、防火仕様の枠体とを例示しているが、その他の異なる性能を有した枠体にも適用することが可能である。また、建具として、枠体１０Ａ，１０Ｂ，１０Ｃに対して２枚の障子２０を左右方向に沿ってスライド可能に配設した引き違い窓を例示しているが、本発明はこれに限定されず、障子が１枚の片引き窓や、障子が３枚以上となる３枚建てや４枚建て等の建具に適用することが可能である。
【符号の説明】
【００５５】
１０Ａ，１０Ｂ，１０Ｃ  枠体、１１Ａ，１１Ｂ，１１Ｃ  上枠、１１ａ，１２ａ，１３ａ，１４ａ  基枠部、１１ａ１，１２ａ１，１３ａ１，１４ａ１  基枠ヒレ部、１１ａ７  補強リブ、１１ｂ，１２ｂ  内レール、１１ｃ，１２ｃ  外レール、１１ｊ，１２ｑ  断熱材、１１ｋ，１２ｈ  中空部、１２Ａ，１２Ｂ，１２Ｃ  下枠、１３Ａ，１３Ｂ，１３Ｃ  左縦枠、１４Ａ，１４Ｂ，１４Ｃ  右縦枠、２０，２０′，２０″  障子
【図１】
2018053589.tif 000003
【図２】
2018053589.tif 000004
【図３】
2018053589.tif 000005
【図４】
2018053589.tif 000006
【図５】
2018053589.tif 000007
【図６】
2018053589.tif 000008
【図７】
2018053589.tif 000009
【図８】
2018053589.tif 000010
【図９】
2018053589.tif 000011
【図１０】
2018053589.tif 000012
【図１１】
2018053589.tif 000013
【図１２】
2018053589.tif 000014
【図１３】
2018053589.tif 000015
【図１４】
2018053589.tif 000016